(57)【要約】【課題】入力信号の振幅の変化に合わせて発光ダイオードの光の強度を変化させるのに適した光空間伝送回路を提供する。【解決手段】  入力信号を増幅する増幅部２３と、前記増幅部２３の出力が一次側に与えられるトランス２５と、第１の抵抗Ｒ１、発光ダイオード２１、及び前記トランスの二次側２５ａが、正電源Ｖｃｃと負電源Ｖｅｅ又はグランドとの間に直列接続されて構成された発光駆動部２６と、を備え、入力信号の変化に応じた電圧の変化が前記トランスの二次側に生じるように構成されている。【選択図】図３
2011211372.tif 000002
【特許請求の範囲】
【請求項１】
入力信号を増幅する増幅部と、
前記増幅部の出力が一次側に与えられるトランスと、
第１の抵抗、発光ダイオード、及び前記トランスの二次側が、正電源と負電源又はグランドとの間に直列接続されて構成された発光駆動部と、
を備え、
入力信号の変化に応じた電圧の変化が前記トランスの二次側に生じるように構成されている
ことを特徴とする光空間伝送回路。
【請求項２】
前記トランスの一次側の一端は、前記増幅部の出力側に接続され、
前記トランスの一次側の他端は、グランド側に接続されている
請求項１記載の光空間伝送回路。
【請求項３】
前記発光駆動部は、正電源と負電源との間に接続されている
請求項１又は２記載の光空間伝送回路。
【請求項４】
前記増幅部には、正電源及び負電源が接続されており、
前記発光駆動部に接続された前記正電源及び前記負電源は、前記増幅部の正電源及び負電源と共通のものが用いられている
請求項１〜３のいずれか１項に記載の光空間伝送回路。
【請求項５】
前記発光駆動部は、前記発光ダイオードのアノード側が前記第１の抵抗を介して、前記正電源に接続され、前記発光ダイオードのカソード側が前記トランスの二次側を介して前記負電源に接続されている
請求項１〜４のいずれか１項に記載の光空間伝送回路。
【請求項６】
前記トランスの一次側の一端は、前記増幅部の出力に対して、第２の抵抗を介して接続されている
請求項２記載の光空間伝送回路。
【請求項７】
前記増幅器の入力の前段には、入力信号の直流成分をカットするコンデンサが設けられている
請求項１〜６のいずれか１項に記載の光空間伝送回路。
【請求項８】
前記トランスは、一次側のコイル及び二次側のコイルを、コアに巻いて構成され、
前記コアとして、高周波用トロイダルコアが用いられている
請求項１〜７のいずれか１項に記載の光空間伝送回路。
【請求項９】
前記発光ダイオードは、青色発光ダイオードである
請求項１〜８のいずれか１項に記載の光空間伝送回路。
【請求項１０】
入力信号の直流成分をカットするコンデンサと、
前記コンデンサを通過した入力信号を増幅する増幅部と、
前記増幅部の出力が一次側に与えられるトランスと、
第１の抵抗、発光ダイオード、及び前記トランスの二次側が、正電源と負電源との間に直列接続されて構成された発光駆動部と、
を備え、
前記トランスの一次側の一端は、前記増幅部の出力側に接続され、
前記トランスの一次側の他端は、グランド側に接続されている
ことを特徴とする光空間伝送装置。
【請求項１１】
信号の変調を行う変調部と、
前記変調部の出力信号を、入力信号として取得する光空間伝送回路と、
を備え、
前記光空間伝送回路は、
入力信号を増幅する増幅部と、
前記増幅部の出力が一次側に与えられるトランスと、
第１の抵抗、発光ダイオード、及び前記トランスの二次側が、正電源と負電源又はグランドとの間に直列接続されて構成された発光駆動部と、
を備え
ていることを特徴とする光空間伝送装置。
【請求項１２】
前記変調部は、ＯＦＤＭ変調部である。
請求項１１記載の光空間伝送装置。
【発明の詳細な説明】
【技術分野】
【０００１】
本発明は、光空間伝送回路及び光空間伝送装置に関するものである。
【背景技術】
【０００２】
可視光通信などの光空間伝送を行うための光空間伝送回路は、発光素子となるＬＥＤを備えており、送信データを光信号として送信することができる。
特許文献１は、光空間伝送に利用可能なＬＥＤ駆動回路を開示している。特許文献１のＬＥＤ駆動回路は、直流電源に対して、抵抗器、ＬＥＤ、及びＦＥＴを接続して構成されている。ＦＥＴは、スイッチとして機能し、直流電源から抵抗器を介してＬＥＤに電流が流れるのをオン／オフすることで、ＬＥＤを点滅させる。
【先行技術文献】
【特許文献】
【０００３】
【特許文献１】特開２００４−１２０１０１号公報
【発明の概要】
【発明が解決しようとする課題】
【０００４】
特許文献１の回路では、ＬＥＤの点灯及び消灯によって光伝送を行うため、パルス信号しか送信できず、伝送速度向上には限界がある。
光空間伝送の高速化には、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調などの高速化技術を用いることが考えられる。この場合、光空間伝送装置は、ＯＦＤＭ信号などの高速通信信号の波形を、できるだけ忠実に光信号の波形に変換することが望まれる。
【０００５】
ここで、ＯＦＤＭ信号を光信号に変換する場合、ＬＥＤの単純な点灯／消灯ではなく、ＯＦＤＭ信号の振幅の変化にあわせて、ＬＥＤの光の強度の大きさを変化させる必要がある。
しかし、特許文献１は、ＦＥＴでオン／オフのスイッチングを行って、ＬＥＤを点滅させる回路が開示しているだけで、ＯＦＤＭ信号などの入力信号の振幅の変化に合わせて、光度を変化させるのに適した回路構成は開示していない。
【０００６】
そこで、本発明は、入力信号の振幅の変化に合わせて発光ダイオードの光の強度を変化させるのに適した光空間伝送回路および光空間伝送装置を提供することを目的とする。
【課題を解決するための手段】
【０００７】
（１）本発明は、入力信号を増幅する増幅部と、前記増幅部の出力が一次側に与えられるトランスと、第１の抵抗、発光ダイオード、及び前記トランスの二次側が、正電源と負電源又はグランドとの間に直列接続されて構成された発光駆動部と、を備え、入力信号の変化に応じた電圧の変化が前記トランスの二次側に生じるように構成されていることを特徴とする光空間伝送回路である。
【０００８】
上記本発明において、増幅部は、入力信号を増幅した出力信号を出力する。この出力信号は、トランス一次側に与えられる。また、入力信号は、増幅部を介してトランスに与えられるため、入力信号源にトランスをドライブするための十分なパワーが無い場合であっても、増幅部によってトランスをドライブするための十分なパワーが得られる。
【０００９】
トランス二次側には、増幅部及びトランス一次側を介して、入力信号の変化に応じた電圧の変化が生じる。発光駆動部では、トランス二次側の電圧の変化に応じて、トランス二次側に直列接続された第１の抵抗における電圧が変化する。発光駆動部に流れる電流、すなわち、発光ダイオードを流れる電流は、第１の抵抗の電圧に応じて変化する。
発光ダイオードを流れる電流が、入力信号の変化に応じて変化するため、発光ダイオードは、入力信号の変化に応じて、光の強度を変化させながら点灯することができる。
【００１０】
（２）前記トランスの一次側の一端は、前記増幅部の出力側に接続され、前記トランスの一次側の他端は、グランド側に接続されているのが好ましい。この場合、増幅部の出力の変動に応じて、一の方向及びその逆方向の電流が選択的に前記トランスの一次側に流れる、トランス二次側に生じる起電力の向きを双方向にすることができる。
【００１１】
（３）前記発光駆動部は、正電源と負電源との間に接続されているのが好ましい。この場合、発光駆動部の両端電圧を大きくとることができる。
【００１２】
（４）  前記増幅部には、正電源及び負電源が接続されており、前記発光駆動部に接続された前記正電源及び前記負電源は、前記増幅部の正電源及び負電源と共通のものが用いられているのが好ましい。この場合、発光駆動部及び増幅部の電源を共通化することができる。
【００１３】
（５）前記発光駆動部は、前記発光ダイオードのアノード側が前記第１の抵抗を介して、前記正電源に接続され、前記発光ダイオードのカソード側が前記トランスの二次側を介して前記負電源に接続されているのが好ましい。
【００１４】
（６）前記トランスの一次側の一端は、前記増幅部の出力に対して、第２の抵抗を介して接続されているのが好ましい。
【００１５】
（７）前記増幅器の入力の前段には、入力信号の直流成分をカットするコンデンサが設けられているのが好ましい。この場合、入力信号の直流成分をカットすることができる。
【００１６】
（８）前記トランスは、一次側のコイル及び二次側のコイルを、コアに巻いて構成され、前記コアとして、高周波用トロイダルコアが用いられているのが好ましい。
【００１７】
（９）前記発光ダイオードは、青色発光ダイオードであるのが好ましい。
【００１８】
（１０）他の観点からみた本発明は、入力信号の直流成分をカットするコンデンサと、前記コンデンサを通過した入力信号を増幅する増幅部と、前記増幅部の出力が一次側に与えられるトランスと、第１の抵抗、発光ダイオード、及び前記トランスの二次側が、正電源と負電源との間に直列接続されて構成された発光駆動部と、を備え、前記トランスの一次側の一端は、前記増幅部の出力側に接続され、前記トランスの一次側の他端は、グランド側に接続されていることを特徴とする光空間伝送装置である。
【００１９】
（１１）さらに他の観点からみた本発明は、信号の変調を行う変調部と、前記変調部の出力信号を、入力信号として取得する光空間伝送回路と、を備え、前記光空間伝送回路は、入力信号を増幅する増幅部と、前記増幅部の出力が一次側に与えられるトランスと、第１の抵抗、発光ダイオード、及び前記トランスの二次側が、正電源と負電源又はグランドとの間に直列接続されて構成された発光駆動部と、を備えていることを特徴とする光空間伝送装置である。
【００２０】
（１２）前記変調部は、ＯＦＤＭ変調部であるのが好ましい。
【図面の簡単な説明】
【００２１】
【図１】光空間伝送装置の全体構成図である。
【図２】光空間伝送システムの概略図である。
【図３】光送信部（光空間伝送回路）の回路図である。
【図４】トランスの正面図である。
【図５】光送信部の各部の波形図である。
【発明を実施するための形態】
【００２２】
以下、添付図面を参照しつつ、本発明の実施形態を詳細に説明する。
【００２３】
図１に示す光空間伝送装置１は、パーソナルコンピュータなどの情報機器（図示省略）に接続して使用される。この光空間伝送装置１は、情報機器から出力されたデータを、光信号に変換して送信するとともに、光信号を受信して復調したデータを前記情報機器に与えることができる。
なお、本実施形態では、光空間伝送装置１の好ましい態様として、可視光通信装置を例示するが、通信に用いる光が可視光に限定されるものではない。
【００２４】
図１に示すように、光空間伝送装置１は、光送信部２、光受信部３、変復調部４、および電源回路５を備えている。
【００２５】
図２は、送信側の装置１と受信側の装置１とからなる通信システムの全体構成を示している。なお、図２では、各装置１の機能のうち、送信側又は受信側それぞれに必要な機能のみを示した。
データを送信する際には、図示しない情報機器から送信データが、変調部４に与えられる。本実施形態では、変調部４は、ＯＦＤＭ変調部として構成されている。
【００２６】
変調部４から出力されたＯＦＤＭ信号は、入力信号として光送信部２に与えられる。光送信部２では、電気信号である入力信号（ＯＦＤＭ信号）を、光信号に変換し、送信する。この光送信部２では、入力信号の振幅の変化を、発光素子２１の光の強度（光度）の変化に変換する光強度変調が行われる。
光送信部２の発光素子２１としては、発光ダイオードが採用されている。発光ダイオード２１として、青色発光ダイオードを採用するのが好ましいが、白色ダイオード等を用いても良い。
【００２７】
光受信装置３は、光送信部２から送信されて空間を通過してきた光信号を、受光素子３１によって受信し、電気信号に変換して出力する。光受信装置３の出力信号は、復調部（ＯＦＤＭ復調部）４によって復調される。復調されたデータは、図示しない情報機器に与えられる。
【００２８】
図３は、光送信装置（光空間伝送回路）２の回路構成を示している。この回路は、主に、入力信号が入力される入力端子２２、増幅部２３、トランス２５、及び、前記トランス２５の二次側のコイル２５ｂを含んで構成された発光駆動部２６と、を備えている。
【００２９】
また、光送信装置２は、入力端子２２と増幅部２３との間に接続されたコンデンサＣ１を有している。このコンデンサＣ１は、入力端子２２に入力された入力信号に含まれる直流成分をカットし、交流成分だけを増幅部２３の入力に与えるためのものである。
【００３０】
例えば、入力信号が、ＯＦＤＭ信号ではなく、グランドレベルを起点として所定の正電圧値との間でオン／オフするパルス信号である場合や、交流成分に直流成分が含まれている場合には、グランドレベルを基準としてみたときの、プラス側の信号最大振幅の大きさと、マイナス側の最大振幅の大きさとでは、いずれか一方が大きくなる。
これに対し、入力信号の直流成分をカットしておくと、グランドレベルを基準としてみたときの、プラス側の信号最大振幅の大きさと、マイナス側の最大振幅の大きさとを、ほぼ等しくすることができる。
【００３１】
なお、コンデンサＣ１の入力端子２２側とグランドとの間には、抵抗Ｒ３が接続されている。また、コンデンサＺＣ２の増幅部２３側とグランドとの間には、抵抗Ｒ４が接続されている。
【００３２】
増幅部２３は、オペアンプ２７を有して構成されている。このオペアンプ２７には、抵抗Ｒ５，Ｒ６及びコンデンサＣ２が接続されており、増幅部２３全体がハイパスフィルタとして機能するように構成されている。増幅部２３をハイパスフィルタ構成とすることにより、入力信号に含まれる通信信号に対応する高周波の信号を出力側へ通過させつつ、低周波のノイズを除去することができる。
【００３３】
本実施形態では、オペアンプ２７として、電流帰還型オペアンプが採用されており、高速信号の増幅を適切に行うことができる。
オペアンプ２７（増幅部２３）へは、電源回路５から電源電圧が供給される。つまり、オペアンプ２７の正（＋）の電源端子には、正電源Ｖｃｃが接続され、オペアンプ２７の負（−）の電源端子には、負電源Ｖｅｅが接続される。
【００３４】
オペアンプ２７（増幅部２３）の出力は、抵抗（第２の抵抗）Ｒ２を介して、トランス２５の一次側２５ａに接続されている。トランス２５の一次コイル２５ａの一端は、前記抵抗Ｒ２を介して、前記オペアンプ２７の出力に接続されており、他端は、グランドに接続されている。したがって、オペアンプ２７の出力から、抵抗Ｒ２及びトランス２５の一次コイル２５を通って、グランドに至る経路に流れる電流Ｉ１（Ｉ１＋、Ｉ１−）は、オペアンプ２７の出力電圧（入力信号電圧Ｖｉｎが増幅された電圧）Ｖｏｕｔの大きさに応じた大きさとなる。
【００３５】
トランス（パルストランス）２５は、図４に示すように、一次コイル及び二次コイルを、トロイダルコア２５ｃに巻いて構成されている。このトロイダルコア２５ｃとして、高周波ノイズの除去用トロイダルコアを利用するのが好ましい。
【００３６】
本実施形態では、ノイズ除去用トロイダルコアとして、通信信号（入力信号）の周波数帯域（例えば、１００ＭＨｚ）に対応した周波数帯域のノイズを除去するためのノイズ除去用トロイダルコアを使用した。これは、その周波数帯域の磁束がコア２５ｃを透過し易いためである。
したがって、本実施形態では、入力信号の変化に応じたトランス二次側電圧の変化を、高い再現性で生じさせることができる。
【００３７】
本実施形態では、トランス２５の一次コイル２５ａと二次コイル２５ｂの巻数比を、１：１とした。ただし、二次側の電圧が一次側よりも大きくなるように巻数比を設定してもよい。
【００３８】
前記発光駆動部２６は、前記正電源Ｖｃｃと前記負電源Ｖｅｅとの間に設けられている。発光駆動部２６は、正電源Ｖｃｃ及びＶｅｅとの間において、抵抗（第１の抵抗；電流制限抵抗）Ｒ１、発光ダイオード２１、及びトランス２５の二次コイル２５ｂを、直列接続して構成されている。
【００３９】
発光ダイオード２１は、アノード側が抵抗Ｒ１を介して、正電源Ｖｃｃに接続され、カソード側がトランス２５の二次側２５ｂを介して、負電源Ｖｅｅに接続されている。
【００４０】
本実施形態では、発光ダイオード２１として、青色発光ダイオードを用いた。青色発光ダイオードは、高速光通信を行う上で有利である。
また、本実施形態では、抵抗Ｒ１の値を２００Ωに設定したが、抵抗値が特に限定されるものではない。
【００４１】
発光ダイオード２１を常時点灯させつつ、その発光の強度を入力信号の大きさの変化に応じて変化させるには、発光ダイオード２１の順方向降下電圧Ｖｆ以上の電圧を発光ダイオードに与えつつ、発光ダイオード２１に流れる電流の大きさを入力信号の大きさの変化に応じて変化させる必要がある。
【００４２】
青色や白色の発光ダイオードの順方向効果電圧Ｖｆは、約３．５Ｖであり比較的高い。したがって、青色発光ダイオード２１のアノード・カソード間に電圧が、約３．５Ｖ以上になると、青色発光ダイオード２１に電流が流れ発光するが、３．５Ｖ未満であると電流が流れず発光しない。
【００４３】
したがって、本実施形態の発光駆動部２６は、発光ダイオード２１に順方向効果電圧Ｖｆ（＝３．５Ｖ）を与えつつ、発光ダイオード２１に流れる電流の大きさを、入力信号の大きさの変化に応じて変化させる。
【００４４】
さて、発光駆動部２６の両端電圧Ｖｓは、正電源Ｖｃｃ及び負電源Ｖｅｅの電位差となるため、例えば、Ｖｃｃ＝＋６［Ｖ］、Ｖｃｃ＝−６［Ｖ］である場合、Ｖｓ＝１２［Ｖ］となる。
ここで、発光駆動部２６の両端電圧Ｖｓが、正電源Ｖｃｃ及びグランドの電位差となる場合、つまり、二次コイル２６ｂの接続先を負電源Ｖｅｅに代えてグランドとした場合、には、Ｖｃｃ＝＋６［Ｖ］であると、Ｖｓ＝６［Ｖ］となる。
【００４５】
これに対し、本実施形態では、前述のように、発光駆動部２６の両端電圧Ｖｓを、正電源Ｖｃｃ及び負電源Ｖｅｅの電位差としたため、Ｖｓを大きくできる。Ｖｓを大きくすると、発光ダイオード２１に順方向降下電圧Ｖｆ以上の電圧を与えるのが容易であるとともに、発光ダイオード２１（発光駆動部２６）に流れる電流Ｉを大きくするのが容易であり、発光ダイオード２１の常時点灯の確実化及び光の強度を大きくする上で有利である。
【００４６】
発光駆動部２６には、前述のように、比較的大きな電流が流れることになるが、トランス２５によって一次側２５ａと二次側２５ｂとが絶縁分離されているため、発光駆動部２６における大電流が、一次側２５ａ又は入力信号源に与える影響（大電流によるスパイクノイズなど）を抑えることができる。
【００４７】
また、発光駆動部２６の両端電圧Ｖｓが、正電源Ｖｃｃ及びグランドの電位差となる場合において、Ｖｓを大きくしようとすると、正電源Ｖｃｃの値を大きく（例えば、１２Ｖ）する必要がある。この場合、ペアンプ２７の正電源（６Ｖ）と共通化することが困難となり、電源回路が別途必要となる。
これに対して、本実施形態では、発光駆動部２６の両端電圧Ｖｓを大きくしつつも、発光駆動部２６に接続された正電源Ｖｃｃ及び負電源Ｖｅｅは、オペアンプ２７の正電源Ｖｃｃ及び負電源Ｖｅｅと共通のものでよいため、電源回路５を共用できる。
【００４８】
さて、無信号時（入力端子２２に入力信号が与えられていないとき）は、発光駆動部２６の抵抗Ｒ１における電圧ＶＲ１は、Ｖｓ−Ｖｆ＝１２［Ｖ］−３．５［Ｖ］＝８．５［Ｖ］であるから、発光駆動部２６（発光ダイオード２１）に流れる電流Ｉは、Ｉ＝（Ｖｓ−Ｖｆ）／（抵抗Ｒ１の抵抗値）＝８．５／２００＝４２．５［ｍＡ］となる。
【００４９】
これに対し、入力端子２２に入力信号が与えられると、トランス二次コイル２５ｂに起電力が誘導され、その結果、電流Ｉの値が変化する。本実施形態においては、トランス二次コイル２５ｂの起電力は、電流Ｉの値を増加させる場合と、低下させる場合とがある。
【００５０】
つまり、増幅部２３の出力は、コンデンサＣ１によって直流成分がカットされた入力信号を増幅したものであるから、グランドレベルを基準として、プラス側の最大振幅とマイナス側の最大振幅がほぼ等しくなっている（図５（ａ）（ｂ）参照）。
増幅部２３の出力がプラス側にあるときには、トランス一次コイル２５ａには、増幅部２３からグランドへ向かう電流Ｉ１＋が流れ、増幅部２３の出力がマイナス側にあるときには、逆に、グランドから増幅部２３へ向かう電流Ｉ１−が流れる（図５（ｃ）参照）。
【００５１】
したがって、トランス二次コイル２５ｂに誘導される電圧Ｖ２は、図５（ｄ）に示すように、増幅部２３の出力Ｖｏｕｔがプラス側にあるときには、正の電圧（Ｖｅｅ側からＶｃｃ側へ向かう方向に電流Ｉ２＋を生じさせる電圧）となり、増幅部２３の出力がマイナス側にあるときには、逆に、負の電圧（Ｖｃｃ側からＶｄｄ側へ向かう方向に電流Ｉ２−を生じさせる電圧）となる。なお、図５（ａ）（ｂ）における０［Ｖ］は、グランドレベルに対応するものであるが、図５（ｄ）における０［Ｖ］は、グランドレベルに対応するものではなく、Ｉ２＋，Ｉ２−＝０［ｍＡ］となるときの電圧である。
【００５２】
トランス二次コイル２５ｂに誘導される電圧Ｖ２によって、発光駆動部２３を流れる電流Ｉには、Ｉ２＋による減少、又はＩ２−による増加が生じる。トランス二次コイル２５ｂに誘導される電圧Ｖ２の大きさは、入力信号Ｖｉｎの大きさに応じて変動する。
【００５３】
例えば、図５（ｄ）に示すように、電圧Ｖ２の大きさが、入力信号の変動に対応して、＋１〜−１の範囲で変動する場合で考える。電圧Ｖ２＝＋１［Ｖ］となった場合、抵抗Ｒ１における電圧ＶＲ１は、Ｖｓ−Ｖ２−Ｖｆ＝１２−（＋１）−３．５＝７．５［Ｖ］であるから、発光駆動部２６（発光ダイオード２１）に流れる電流Ｉは、Ｉ＝（Ｖｓ−Ｖ２−Ｖｆ）／（抵抗Ｒ１の抵抗値）＝７．５／２００＝３７．５［ｍＡ］となる（図５（ｅ）参照）。
【００５４】
また、電圧Ｖ２＝−１［Ｖ］となった場合、抵抗Ｒ１における電圧ＶＲ１は、Ｖｓ−Ｖ２−Ｖｆ＝１２−（−１）−３．５＝９．５［Ｖ］であるから、発光駆動部２６（発光ダイオード２１）に流れる電流Ｉは、Ｉ＝（Ｖｓ−Ｖ２−Ｖｆ）／（抵抗Ｒ１の抵抗値）＝９．５／２００＝４７．５［ｍＡ］となる（図５（ｅ）参照）。
なお、本実施形態では、光信号は、入力信号を反転したものとなるが、光受信部３で反転すればよい。
【００５５】
このように、本実施形態では、入力信号の増減を、トランス二次側２５ｂの電圧Ｖ２の増減に変換してから、その電圧Ｖ２の増減に応じて発光ダイオード２１に流れる電流を増減する。したがって、シンプルな構成で、入力信号の増減を、発光ダイオード２１に流れる電流の増減、すなわち、発光ダイオード２１の光の強度の増減に変換できる。
【００５６】
換言すると、本実施形態では、抵抗Ｒ１における電圧（電圧降下）ＶＲ１が、無信号時のときの値（＝８．５［Ｖ］）を中心として、その中心値（＝８．５［Ｖ］）からプラス側及びマイナス側の双方に振れるように変化する。
【００５７】
以上のように、本実施形態に係る光空間伝送回路によれば、発光ダイオード２１を常時点灯させつつ、光の強度を、高速な信号であるＯＦＤＭ信号の変動に応じて変化させることができ、高速通信が実現できる。
また、発光ダイオード２１には、無信号時においても所定の大電流が流れるため、発光ダイオードを光源として使用する場合にも有利である。
しかも、発光ダイオード２１に流れる電流が減少した時においても、比較的大きな電流（３７．５ｍＡ）が流れるため、光の強度を比較的大きくで、遠距離通信に適したものとなる。
【００５８】
なお、本発明は、上記実施形態に限定されるものではなく、様々な変形が可能である。
例えば、上記実施形態に係る光空間伝送回路２は、変調部４とともに使用する必要はなく、パルス信号を入力端子２２に入力してもよい。なお、パルス信号が入力信号である場合、パルスは光の点灯／消灯で表現されるのではなく、常時点灯している光の強弱の変化として表現されることになる。
このように、入力端子に入力される信号は、特に限定されるものではなく、例えば、ＯＦＤＭ信号以外の他のデジタル変調信号であってもよい。
【符号の説明】
【００５９】
１  光空間伝送装置
２  光送信部（光空間伝送回路）
３  光受信部
４  変復調部（変調部；復調部）
５  電源回路
２１  発光ダイオード
２３  増幅部
２５  コイル
２５ａ  コイル一次側
２５ｂ  コイルに字側
２５ｃ  トロイダルコア
Ｒ１  第１の抵抗
Ｒ２  第２の抵抗
Ｃ１  コンデンサ
Ｖｃｃ  正電源
Ｖｅｅ  負電源
【図１】
2011211372.tif 000003
【図２】
2011211372.tif 000004
【図３】
2011211372.tif 000005
【図４】
2011211372.tif 000006
【図５】
2011211372.tif 000007